(57)【特許請求の範囲】
【請求項１】
潜像部と非潜像部とからなる画像が基材に形成された画像形成体であって、
該非潜像部は均一なピッチの網点からなり、該潜像部は、該非潜像部の網点に対して略１／２ピッチずらした網点からなり、
前記画像が、網点角度が異なる複数色の網点で形成されていることを特徴とする画像形成体。
【請求項２】
前記非潜像部の網点に対して、網点を略１／２ピッチずらす方向が異なる複数の前記潜像部を有することを特徴とする請求項１に記載の画像形成体。
【請求項３】
前記画像を形成する網点のピッチが異なる領域が複数あることを特徴とする請求項１又は２に記載の画像形成体。
【請求項４】
少なくとも１色の網点が、蛍光インキで形成されていることを特徴とする請求項１乃至３のいずれか１項に記載の画像形成体。
【発明の詳細な説明】
【技術分野】
【０００１】
本発明は、紙幣、商品券や入場券、株券等の有価証券類やパッケージ、商品ラベル等の印刷媒体類などの偽造防止に有効で、特にコピーやスキャニングによる複製が困難な偽造防止用画像形成体に関する。
【背景技術】
【０００２】
商品券や入場券、金券、株券、債権等の有価証券類には、偽造防止策が必要不可欠である。従来、商品券等のように使用後において機械的及び光学的に電子データとして読み取り可能な印刷物や、偽造や贋造をより困難にするとともにデザイン性や外観趣向性に支障をきたさない印刷物や、カラーコピーやスキャナー等による複製が困難な印刷物等の偽造防止策を施した印刷物が広く市場に利用されている。
【０００３】
偽造や贋造をより困難にする印刷応用技術の一つとして、例えば万線（ストライプ状の多数本の同一ピッチの平行線パターン）の潜像部と非潜像部でピッチを略１／２ピッチずらしてある印刷物に、この万線と同形状の万線フィルムを重ねると、万線をずらした部分（潜像）が絵柄として視認可能になる。また、整然と並んだ網点の列を一部ずらして潜像を作成する技術を用いた方法があり、同じパターンの網点フィルムを重ねると、網点をずらした部分（潜像）が絵柄として視認可能になる。
【０００４】
しかし、この技術を利用した方法は、パターン自体は比較的単純であるために、画像拡大等の操作によって潜像パターンが見抜かれ易く、それなりの知見と技術のある者であれば容易に作製可能なものであり、偽造防止という点では問題があるものであった。その対策として、例えば特許文献１には、１枚の印刷シート等の画像形成用シート上に、数種類の万線ピッチと数種類の万線角度とを用いて構成される万線パターンによる数種類の潜像を形成して、画像形成体の真贋判定には、２種類以上の万線パターンの形成された顕像化用（真贋判定用）の万線シートを必要とする技術が開示されている。
【特許文献１】特開２００７−１５１２０号公報
【発明の開示】
【発明が解決しようとする課題】
【０００５】
しかしながら、特許文献１の構成では、前述の技術に比べれば複雑化していて偽造や複製は困難になっているが、スキャナーなどの高性能化により、微細な潜像パターンが視認され、偽造が可能となる可能性も出てきている。
【０００６】
本発明は、上記課題を解決するためになされたものであり、その課題とするところは、デザインの自由度が高く、カラーデザインへの潜像組み込みが可能で、かつ潜像が肉眼では勿論、高性能スキャナーなどでも視認されにくく、偽造、複製が困難で偽造防止効果が高い偽造防止印刷物を提供することにある。
【課題を解決するための手段】
【０００７】
上述した課題を解決するために、本発明は、潜像部と非潜像部とからなる画像が基材に形成された画像形成体であって、該非潜像部は均一なピッチの網点からなり、該潜像部は、該非潜像部の網点に対して略１／２ピッチずらした網点からなることを特徴とする画像形成体である。
【０００８】
また本発明は、前記非潜像部の網点に対して、網点を略１／２ピッチずらす方向が異なる複数の前記潜像部を有することを特徴とする画像形成体である。
【０００９】
また本発明は、前記画像が、網点角度が異なる複数色の網点で形成されていることを特徴とする画像形成体である。
【００１０】
また本発明は、前記画像を形成する網点のピッチが異なる領域が複数あることを特徴とする画像形成体である。
【００１１】
また本発明は、少なくとも１色の網点が、蛍光インキで形成されていることを特徴とする画像形成体である。
【００１２】
本発明は、以上説明したような構成であるから、以下に示す如き効果がある。
【００１３】
即ち、本発明によれば、画像が網点で形成されているため、デザインの自由度が高く、また網点角度をずらすことにより多色からなる画像を印刷できるため、フルカラー印刷も可能となり、また、万線で潜像を形成する場合と比べて潜像が肉眼ではほとんど視認されず、高性能スキャナーなどでも視認されにくい、偽造、複製が困難で偽造防止効果が高い画像形成体を提供することが可能となるのであります。
【発明を実施するための最良の形態】
【００１４】
以下、本発明の一実施形態による画像形成体を、図面を参照して詳細に説明する。
【００１５】
本発明における画像形成体は、網点による画像が形成されており、該画像は、均一なピッチの非潜像部と、該非潜像部の網点の均一なピッチに対して略１／２ピッチずれている潜像部とからなる。
【００１６】
図１は、本発明の画像形成体の一実施形態の、網点角度の異なる２色（例えば、マゼンタ、シアン）でそれぞれに出現する２変化潜像を説明する拡大模式図である。
【００１７】
図１（ａ）は画像を構成する網点を上部から見た拡大模式図である。図中のピッチを示す線（実際には存在しない）上に存在する網点に示されるように、均一なピッチの網点からなる非潜像部と、該非潜像部に対してピッチを略１／２ピッチずらした網点からなる潜像部とから構成されている。画像は、各々の網点の大小の集合によって形成されている。なお、潜像部は文字、絵柄、記号、模様等の任意の形状に形成して良い。
【００１８】
図１（ｂ）は画像形成体の網点と同じピッチの万線パターンが形成された検証用具を画像形成体に重ねた状態の模式拡大図であり、図１（ｃ）は画像形成体の網点と同じピッチの網点模様が形成された検証用具を画像形成体に重ねた状態の模式拡大図である。検証用具の基材は、透明フィルム等を用いる。
【００１９】
本発明の画像形成体は、上記の様な構成であるから、従来の万線パターンで潜像を形成する場合とは異なり、網点角度を変化させることにより、多色での印刷が可能である。これにより、多色の網点模様で画像を形成可能である故、潜像部分が通常の状態ではほとんど視認不可能となり、セキュリティ性が向上した画像形成体が提供できる。なお、１色につき潜像部は複数存在してもよく、自由にデザインが可能である。
【００２０】
また、通常インキで画像を形成する網点とは別に、蛍光インキで画像形成体を印刷しても良い。この場合には、通常の目視では視認できないが、専用光源に当てると画像が確認でき、さらに検証用具を重ねると蛍光の潜像が出現する画像形成体となり、カラーコピーや、スキャナーでの取込に対するセキュリティ性を更に向上させることが可能である。また、通常インキと重ねて印刷することが出来、特性上、どちらの潜像も視認することが出来る。蛍光インキは、現在3色あり、それぞれを使用するとバリエーションを広げることが出来る。
【００２１】
図２は、本発明の画像形成体の一実施形態の別の例で、検証用具の重ねる角度を変えた時にそれぞれ出現する複数の潜像部（ここでは２変化）を有する画像形成体を説明する拡大模式図である。
【００２２】
図２の画像形成体は、非潜像部の網点に対して、一定の方向（ここでは、網点角度を基準として真横）に網点を略１／２ピッチずらした潜像部（１次）９と、別の一定の方向（ここでは、網点角度を基準として真下）に網点を略１／２ピッチずらした潜像部（２次）１０とを有する。これにより、検証用具を重ねる角度を変えたときに、潜像部９のみが顕像化する場合と、潜像部１０のみが顕像化する場合とがあり、潜像が２変化する画像形成体となる。
【００２３】
また、図３に示した画像形成体の一実施形態例の如く、網点の特性を活かして、同一箇所で複数の潜像をそれぞれ顕像化することも出来る。
【００２４】
これは、多色印刷の場合、各々の色について別途行うことが可能であり、１色につき任意の数だけ組み込み可能であるが、実際に潜像の判別容易性を考慮すると、１色につき２変化とするのが良く、顕像化した際の潜像部の視認性を高めるためには、２つの潜像部の網点は、非潜像部の網点に対して、網点角度を基準として水平方向と垂直方向に、９０度異なる角度にずらすと良い。これにより、４色印刷の場合、４色×２変化＝８変化する潜像を形成することができ、多彩なバリエーションに富んだ画像形成体を提供することが可能となる（図６参照）。また、網点をずらす方向が異なる潜像部は、それぞれ複数存在しても良い。
【００２５】
図４は、本発明の画像形成体の一実施例の別の形態で、図４（ａ）は網点のピッチがそれぞれ異なる複数の領域が存在する画像形成体を説明する拡大模式図である。画像形成体には、それぞれピッチの異なる領域１３及び１４が存在する。
【００２６】
図４（ｂ）は、領域１３に含まれる非潜像部を形成する網点と同じピッチの万線パターンが形成された検証用具を図４（ａ）の画像形成体に重ねた状態の拡大模式図である。図４（ｂ）では、領域１３に形成された潜像は顕像化しているが、領域１４に形成された潜像は確認できない。
【００２７】
図４（ｃ）は、領域１４に含まれる非潜像部を形成する網点と同じピッチの万線パターンが形成された検証用具を図４（ａ）の画像形成体に重ねた状態の拡大模式図である。図４（ｃ）では、領域１４に形成された潜像は顕像化しているが、領域１３に形成された潜像は確認できない。なお、検証器具には、図１に示したように、万線パターンではなく網点模様が形成されていても良い。
【００２８】
図４においては、ピッチの異なる領域は２領域となっているが、当然これに限定されるものではなく、複数形成することが可能で、また領域の形状も任意の形状に形成して良い。さらに、領域が異なっていても同じピッチで網点模様が形成されている領域があっても良く、バラエティ性に富んだ画像形成体を自由にデザインすることが可能である。
【００２９】
これにより、万線パターン又は網点模様のピッチが異なる複数の検証器具、若しくは画像形成体の領域と各々に形成されたピッチと完全に一致するような検証器具を用意しなければならず、たとえ潜像の存在に気づいたとしても、全ての潜像を確認することは困難となる故、一部を偽造・改ざんされたとしても、確実に真偽判定が可能となる。
【００３０】
また、一部の領域の網点のピッチを、細かくすることにより、カラーコピーやスキャナーで取り込もうとした際に、画像がつぶれてしまうようにすることも可能である。実際の数値としては、構成される網点線数が１７７線以上になると潜像確認が難しくなり、偽造が困難になる。
【００３１】
次に、本発明の画像形成体の一実施形態の作製方法について説明する。
【００３２】
本発明で用いる網点による画像の作成には従来の印刷関連設備を使用することが可能であり、通常の製版スクリーニングで画像を網点化したデータからの潜像組み込みを行う。
【００３３】
まず、潜像を組み込む画像のデータを作成する。例えば、潜像を入れたい写真やイラスト等の絵柄を選択し、使用する網点の線数（ピッチ又はピッチ）、角度（スクリーン角度）を設定する。その後、４色分版を行い、Ｋ（黒）、Ｍ（マゼンタ）、Ｃ（シアン）、Ｙ（黄）の網点データにする。このとき、データ形式は特に問わない。
【００３４】
次に、潜像として出現させたい絵柄、文字、記号、模様等を選択し、潜像のマスクを作製する。前述したように、１色につき２変化する潜像を出現させることができるが、一例として、網点角度を４５度に設定したＣ（シアン）版に潜像１及び２の２変化潜像、網点角度を１５度に設定したＭ（マゼンタ）版に潜像３及び４の２変化潜像の、合計４つの潜像をいれるとする。（図５参照）
【００３５】
この場合、Ｃ（シアン）版には、３つのデータが必要となる。（１）４色分版で得られたそのままのデータ、（２）網点角度４５度に対し、真横方向に使用網点の半ピッチ移動したデータに潜像１のデータを加えたもの、（３）網点角度４５度に対し、直角方向（縦方向）に使用網点の半ピッチ移動したデータに潜像２のデータを加えたもの、の３つのデータを合わせてＣ（シアン）版を製版する。
【００３６】
同様に、Ｍ（マゼンタ）版にも３つのデータが必要である。（１）４色分版で得られたそのままのデータ、（２）網点角度１５度に対し、真横方向に使用網点の半ピッチ移動したデータに潜像３のデータを加えたもの、（３）網点角度１５度に対し、直角方向（縦方向）に使用網点の半ピッチ移動したデータに潜像４のデータを加えたもの、の３つのデータを合わせてＭ（マゼンタ）版を製版する。
【００３７】
なお、図５に示したように、潜像部及び非潜像部の網点は、完全な網点ではなくても、潜像部のデザイン等によって、分割された網点であっても良い。
【００３８】
Ｋ（黒）版（網点角度６０度）とＹ（黄）版（網点角度７５度）のデータは、４色分版で得られたそのままの状態で製版する。以上の、Ｃ、Ｍ、Ｙ、Ｋのすべての版を重ねて、潜像入りの画像データが出来る。
【００３９】
なおここで、本例では、網点のピッチを０．３ｍｍとした。なお、網点のピッチは０．０５ｍｍ〜２．５ｍｍが好ましい。ピッチが０．０５ｍｍ未満では、基材の伸縮や各色の見当精度から画像の再現が難しく、且つコントラストの低い画像となってしまう。逆にピッチが２．５ｍｍを超えると、潜像部の網点パターンのズレが視認し易くなり、潜像の存在を読み取られて偽造防止効果が低くなってしまう。使用する画像の複雑さや基材の平滑性にもよるが、一般的に、０．３ｍｍピッチで検証用具の光線透過部及び光線遮断部の幅が０．１５ｍｍでの作製が容易であり推奨される。潜像部を形成するためのピッチのズレは１／４〜３／４の範囲で使用可能であるが、使用可能であるが１／２がコントラストの高い潜像の顕像化に好適である。
【００４０】
本発明の画像形成体は、上述したデータで製版されたＣ、Ｍ、Ｙ、Ｋの全ての版を用いて用紙、プラスチックフィルム等の基材にそれぞれの色相のインクを用いて、絵柄見当を合わせて印刷することで形成される。なお、これは４色分版の場合であるが、本発明の画像形成体はこれに限定されるものではなく、４色以下でも以上でも良いし、通常の印刷と同様に、特色を用いても、蛍光インキを単色又は複数用いても良い。
【００４１】
基材としては、証券用途等に用いられる用紙あるいはパッケージ等で使用される板紙等の紙媒体、プラスチック等、特に限定されず、印刷物や透かし模様の入った用紙等広く適用できる。印刷方法は、絵柄の面積や基材の材質、作成する数量などを考慮して適宜選択することが出来、枚葉印刷あるいは輪転印刷でも可能であり、オフセット方式あるいはグラビア方式など、網点の再現性が確保される方式であれば特に問わない。
【００４２】
また、上述した印刷方法のほかに、コピー機を使ったオンデマンド印刷でも、本発明の画像形成体を印刷することが可能である。その場合、個々の印刷物に対して、それぞれ別々の顕像化させたい潜像を印刷することができ、つまり、『可変データ』を取り扱うことが可能となる。これにより、例えば、ダイレクトメール等で、個人毎に必要な潜像が印刷された用紙を作製することが可能となる。
【００４３】
オンデマンドで印刷する方法については、通常印刷時に製版した潜像データを、オンデマンド印刷機にそのまま使用して印刷することが出来るので、フィルムや印刷版材を使用することなく、その版作製工程を省くことが出来る。
【００４４】
上述した様にして作製された画像形成体は、そのままでは表面に写真やイラスト等の画像のみが可視化されている。ここで、画像形成体に網点模様と同じピッチの網点又は万線パターンが形成された検証用具を当てることで、検証用具に設けてあるパターンと潜像部とが組み合わさることによって視認可能な絵柄、記号、文字、模様等を呈する潜像が顕像化される。
【図面の簡単な説明】
【００４５】
【図１】本発明の画像形成体の一実施形態例の、２色でそれぞれに潜像部を形成した画像形成体を説明する拡大模式図である。
【図２】本発明の画像形成体の別の一実施形態例で、１色で検証用具の重ねる角度を９０度変えたときにそれぞれ出現する２変化潜像を説明する拡大模式図である。
【図３】図２に示した２変化潜像を、同一箇所で再現する場合を説明する拡大模式図である。
【図４】本発明の画像形成体の別の一実施形態例で、均一な網点のピッチが異なる領域が２つ存在する画像形成体を説明する拡大模式図である。
【図５】シアン及びマゼンタの２色に２変化潜像をいれた場合を説明する図である。
【図６】シアン、マゼンタ、黄、黒の４色に２変化潜像を入れた場合を説明する参照図である。
【符号の説明】
【００４６】
１・・・網点（マゼンタ）
２・・・網点（シアン）
３・・・検証用具（万線フィルム）
４・・・検証用具（網点模様フィルム）
５・・・潜像部（マゼンタ）
６・・・潜像部（シアン）
７・・・顕像化潜像（マゼンタ）
８・・・顕像化潜像（シアン）
９・・・潜像部（１次）
１０・・・潜像部（２次）
１１・・・顕像化潜像（１次）
１２・・・顕像化潜像（２次）
１３・・・領域１３
１４・・・領域１４
１５・・・顕像化潜像（領域１３）
１６・・・顕像化潜像（領域１４）
【図１】
0005365133.tif 000002
【図２】
0005365133.tif 000003
【図３】
0005365133.tif 000004
【図４】
0005365133.tif 000005
【図５】
0005365133.tif 000006
【図６】
0005365133.tif 000007